(57)【要約】      （修正有）【課題】同時発光方式で駆動される有機電界発光表示装置を提供する。【解決手段】１フレームの第１期間に走査線に走査信号を同時に供給し、第２期間に前記走査線に走査信号を順次に供給するための走査駆動部と、前記第２期間に順次に供給される走査信号に同期するようにデータ線にデータ信号を供給するためのデータ駆動部と、前記１フレーム期間の間、ローレベルおよびハイレベルに変化する第１電源を供給するための第１電源駆動部と、前記１フレーム期間の間、ローレベルおよびハイレベルに変化する第２電源を供給するための第２電源駆動部とを備え、前記第１期間は、初期化期間、閾値電圧補償期間および安定化期間に分けられ、前記初期化期間に第１初期化電圧、前記閾値電圧補償期間に前記第１初期化電圧より高い電圧値に設定される基準電源の電圧、前記安定化期間に前記基準電圧より低い電圧値に設定される第２初期化電電圧が供給される。【選択図】図６
2014206730.tif 000002
【特許請求の範囲】
【請求項１】
１フレームの第１期間に複数の走査線に走査信号を同時に供給し、第２期間に前記走査線に走査信号を順次に供給するための走査駆動部と、
前記第２期間に順次に供給される前記走査信号に同期するようにデータ線にデータ信号を供給するためのデータ駆動部と、
前記走査線および前記データ線に接続されるように位置する画素と、
前記１フレーム期間の間、前記画素にローレベルおよびハイレベルに変化する第１電源を供給するための第１電源駆動部と、
前記１フレーム期間の間、前記画素にローレベルおよびハイレベルに変化する第２電源を供給するための第２電源駆動部とを備え、
前記第１期間は、初期化期間、閾値電圧補償期間および安定化期間に分けられ、前記データ線には、前記初期化期間の一部期間に第１初期化電源の電圧、前記閾値電圧補償期間に前記第１初期化電圧より高い電圧値に設定される基準電源の電圧、前記安定化期間に前記基準電圧より低い電圧値に設定される第２初期化電源の電圧が供給されることを特徴とする有機電界発光表示装置。
【請求項２】
前記第１電源駆動部は、前記初期化期間にローレベルの第１電源を供給し、それ以外の期間にハイレベルの第１電源を供給することを特徴とする請求項１に記載の有機電界発光表示装置。
【請求項３】
前記第２電源駆動部は、前記１フレーム期間中の、前記第１期間および前記第２期間を除いた第３期間にローレベルの第２電源を供給し、それ以外の期間にハイレベルの第２電源を供給することを特徴とする請求項２に記載の有機電界発光表示装置。
【請求項４】
前記第１初期化電源の電圧は、前記画素それぞれに含まれた駆動トランジスタがターンオンできる電圧に設定されることを特徴とする請求項２または３に記載の有機電界発光表示装置。
【請求項５】
前記第２初期化電源は、最大階調のデータ信号に対応する電圧に設定されることを特徴とする請求項１乃至４の何れか一項に記載の有機電界発光表示装置。
【請求項６】
前記第１初期化電源、前記基準電源および前記第２初期化電源の電圧は、前記データ駆動部から前記データ線に供給されることを特徴とする請求項１乃至５の何れか一項に記載の有機電界発光表示装置。
【請求項７】
前記データ線それぞれに接続され、前記第１初期化電源、前記第２初期化電源および前記基準電源のうちの少なくとも１つの電圧を前記データ線に供給するためのスイッチング部をさらに備えることを特徴とする請求項１乃至６の何れか一項に記載の有機電界発光表示装置。
【請求項８】
前記スイッチング部は、
前記データ線と前記第１初期化電源との間に接続される第１スイッチと、
前記データ線と前記基準電源との間に接続される第２スイッチと、
前記データ線と前記第２初期化電源との間に接続される第３スイッチとを備えることを特徴とする請求項７に記載の有機電界発光表示装置。
【請求項９】
前記閾値電圧補償期間の間、前記画素に共通に接続された制御線に制御信号を供給するための制御線駆動部をさらに備えることを特徴とする請求項１乃至８の何れか一項に記載の有機電界発光表示装置。
【請求項１０】
前記画素それぞれは、
有機発光ダイオードと、
前記有機発光ダイオードに供給される電流量を制御する駆動トランジスタと、
前記駆動トランジスタのゲート電極に第１端子が接続される第２キャパシタと、
前記第２キャパシタの第２端子とデータ線との間に接続され、走査線に走査信号が供給される時にターンオンされる第１トランジスタと、
前記有機発光ダイオードのアノード電極と前記駆動トランジスタのゲート電極との間に接続され、前記制御線に制御信号が供給される時にターンオンされる第３トランジスタと、
前記第２キャパシタの第２端子と前記第１電源との間に接続される第１キャパシタとをさらに備えることを特徴とする請求項１乃至９の何れか一項に記載の有機電界発光表示装置。
【発明の詳細な説明】
【技術分野】
【０００１】
本発明の実施形態は、有機電界発光表示装置に関するものであって、特に、同時発光方式で駆動される有機電界発光表示装置に関するものである。
【背景技術】
【０００２】
最近、陰極線管（Ｃａｔｈｏｄｅ  Ｒａｙ  Ｔｕｂｅ）の欠点である重量および体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、および有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などがある。
【０００３】
平板表示装置のうち、有機電界発光表示装置は、電子と正孔の再結合によって光を発生する有機発光ダイオードを用いて映像を表示するもので、これは、速い応答速度を有し、かつ、低消費電力で駆動されるという利点がある。
【０００４】
通常、有機電界発光表示装置は、有機発光ダイオードを駆動する方式に応じて、パッシブマトリクス型（ＰＭＯＬＥＤ）とアクティブマトリクス型（ＡＭＯＬＥＤ）とに分類される。
【０００５】
アクティブマトリクス型有機電界発光表示装置は、複数の走査線、複数のデータ線および複数の電源線と、前記線に連結され、マトリクス状に配列される複数の画素とを備える。画素は、通常、有機発光ダイオードと、有機発光ダイオードに供給される電流量を制御する駆動トランジスタと、駆動トランジスタにデータ信号を伝達するためのスイッチングトランジスタと、データ信号の電圧を維持するためのストレージキャパシタとから構成される。
【０００６】
このようなアクティブマトリクス型有機電界発光表示装置は、消費電力が少ないという利点があるが、有機発光素子を駆動する駆動トランジスタのゲートとソースとの間の電圧、すなわち駆動トランジスタの閾値電圧（ｔｈｒｅｓｈｏｌｄ  ｖｏｌｔａｇｅ）の偏差によって有機発光素子を介して流れる電流の強さが変化し、表示不均一をもたらすという問題がある。
【０００７】
すなわち、画素内に備えられたトランジスタは、製造工程の変数によってトランジスタの特性が変化し、これによって、画素間の駆動トランジスタの閾値電圧に偏差が発生する。現在は、画素間の不均一現象を克服するために、駆動トランジスタの閾値電圧を補償することができる補償回路を画素内に追加的に形成する。
【０００８】
しかし、補償回路は、複数のトランジスタおよびキャパシタ、トランジスタを制御する信号線を追加的に含む。したがって、補償回路を含む画素の場合、開口率の低下および不良発生確率が増加するという問題がある。
【先行技術文献】
【特許文献】
【０００９】
【特許文献１】大韓民国特許公開第 2 0 1 1 - 0 0 1 3 6 9 3 号
【特許文献２】大韓民国特許公開第 2 0 1 1 - 0 1 3 6 7 7 5 号
【特許文献３】大韓民国特許公開第 2 0 1 2 - 0 0 0 4 1 4 9 号
【発明の概要】
【発明が解決しようとする課題】
【００１０】
そこで、本発明の実施形態の目的は、駆動トランジスタの閾値電圧の偏差が補償されると同時に、簡単な構造を有する画素を備える有機電界発光表示装置およびその駆動方法を提供することである。
【００１１】
また、本発明の実施形態の目的は、同時発光方式で駆動される有機電界発光表示装置およびその駆動方法を提供することである。
【課題を解決するための手段】
【００１２】
本発明の実施形態にかかる有機電界発光表示装置は、１フレームの第１期間に走査線に走査信号を同時に供給し、第２期間に前記走査線に走査信号を順次に供給するための走査駆動部と、前記第２期間に順次に供給される走査信号に同期するようにデータ線にデータ信号を供給するためのデータ駆動部と、前記走査線およびデータ線に接続されるように位置する画素と、前記１フレーム期間の間、前記画素にローレベルおよびハイレベルに変化する第１電源を供給するための第１電源駆動部と、前記１フレーム期間の間、前記画素にローレベルおよびハイレベルに変化する第２電源を供給するための第２電源駆動部とを備え、前記第１期間は、初期化期間、閾値電圧補償期間および安定化期間に分けられ、前記データ線には、前記初期化期間の一部期間に第１初期化電源の電圧、前記閾値電圧補償期間に前記第１初期化電圧より高い電圧値に設定される基準電源の電圧、前記安定化期間に前記基準電圧より低い電圧値に設定される第２初期化電源の電圧が供給される。
【００１３】
好ましくは、前記第１電源駆動部は、前記初期化期間にローレベルの第１電源を供給し、それ以外の期間にハイレベルの第１電源を供給する。前記第２電源駆動部は、前記１フレーム期間中の、前記第１期間および第２期間を除いた第３期間にローレベルの第２電源を供給し、それ以外の期間にハイレベルの第２電源を供給する。前記第１初期化電源の電圧は、前記画素それぞれに含まれた駆動トランジスタがターンオンできる電圧に設定される。前記第２初期化電源は、最大階調のデータ信号に対応する電圧に設定される。前記第１初期化電源、基準電源および第２初期化電源の電圧は、前記データ駆動部から前記データ線に供給される。前記データ線それぞれに接続され、前記第１初期化電源、第２初期化電源および基準電源のうちの少なくとも１つの電圧を前記データ線に供給するためのスイッチング部をさらに備える。
【００１４】
前記スイッチング部は、前記データ線と前記第１初期化電源との間に接続される第１スイッチと、前記データ線と前記基準電源との間に接続される第２スイッチと、前記データ線と前記第２初期化電源との間に接続される第３スイッチとを備える。前記閾値電圧補償期間の間、前記画素に共通に接続された制御線に制御信号を供給するための制御線駆動部をさらに備える。前記画素それぞれは、有機発光ダイオードと、前記有機発光ダイオードに供給される電流量を制御する駆動トランジスタと、前記駆動トランジスタのゲート電極に第１端子が接続される第２キャパシタと、前記第２キャパシタの第２端子とデータ線との間に接続され、走査線に走査信号が供給される時にターンオンされる第１トランジスタと、前記有機発光ダイオードのアノード電極と前記駆動トランジスタのゲート電極との間に接続され、前記制御線に制御信号が供給される時にターンオンされる第３トランジスタと、前記第２キャパシタの第２端子と前記第１電源との間に接続される第１キャパシタとをさらに備える。
【発明の効果】
【００１５】
本発明の有機電界発光表示装置およびその駆動方法によれば、３つのトランジスタおよび２つのキャパシタを含む画素を用いることで、駆動トランジスタの閾値電圧を安定的に補償することができるという利点がある。また、本発明では、安定化期間を追加することで、駆動トランジスタの第１電極および第２電極を同一の電圧に設定し、これによって、リーク電流によって駆動トランジスタのゲート電極の電圧が変化することを防止できる。
【図面の簡単な説明】
【００１６】
【図１】本発明の実施形態にかかる有機電界発光表示装置を示す図である。
【図２】本発明の実施形態にかかる有機電界発光表示装置の駆動方法を示す図である。
【図３】順次発光方式でシャッタ眼鏡式３Ｄを実現した例を説明する図である。
【図４】本発明の実施形態にかかる同時発光方式でシャッタ眼鏡式３Ｄを実現した例を説明する図である。
【図５】図１に示された画素の実施形態を示す回路図である。
【図６】図５に示された画素の駆動波形を示す図である。
【図７】図５の画素における駆動トランジスタの寄生キャパシタを示す図である。
【図８】図５の画素に低い階調のデータ信号が供給される時の、駆動トランジスタの第２電極の電圧変化を示す図である。
【図９】図５の画素に高い階調のデータ信号が供給される時の、駆動トランジスタの第２電極の電圧変化を示す図である。
【図１０】図５の画素における駆動トランジスタの第１電極および第２電極の電圧差に対応する第２電極の電圧変化を示す図である。
【図１１】本願発明の駆動波形に対応して駆動トランジスタのゲート電極の電圧変化を示す図である。
【図１２】本願発明の駆動波形に対応して画素の位置に対応する電流偏差を示す図である。
【図１３】本発明の他の実施形態にかかる有機電界発光表示装置を示す図である。
【発明を実施するための形態】
【００１７】
以下、本発明の属する技術分野における通常の知識を有する者が本発明を容易に実施できる好ましい実施形態を、添付した図１ないし図１３を参照して詳細に説明する。
【００１８】
図１は、本発明の実施形態にかかる有機電界発光表示装置を示す図である。
【００１９】
図１を参照すれば、本発明の実施形態にかかる有機電界発光表示装置は、走査線Ｓ１ないしＳｎおよびデータ線Ｄ１ないしＤｍに接続される画素１４０を含む画素部１３０と、走査線Ｓ１ないしＳｎに走査信号を供給するための走査駆動部１１０と、画素１４０に共通に接続された制御線ＧＣに制御信号を供給するための制御線駆動部１６０と、データ線Ｄ１ないしＤｍにデータ信号を供給するデータ駆動部１２０と、走査駆動部１１０、データ駆動部１２０および制御線駆動部１６０を制御するためのタイミング制御部１５０とを備える。
【００２０】
また、本発明の実施形態にかかる有機電界発光表示装置は、画素１４０に第１電源ＥＬＶＤＤを供給するための第１電源駆動部１７０と、画素１４０に第２電源ＥＬＶＳＳを供給するための第２電源駆動部１８０とを備える。
【００２１】
走査駆動部１１０は、走査線Ｓ１ないしＳｎに走査信号を供給する。ここで、走査駆動部１１０は、１フレーム期間の間、走査線Ｓ１ないしＳｎに走査信号を同時に供給するか、順次に供給する。
【００２２】
データ駆動部１２０は、走査期間に走査線Ｓ１ないしＳｎに順次に供給される走査信号に同期するようにデータ線Ｄ１ないしＤｍにデータ信号を供給する。そして、データ駆動部１２０は、走査線Ｓ１ないしＳｎに同時に供給される走査信号と重畳されるように、第１初期化電源および第２初期化電源を供給する。そして、データ駆動部１２０は、データ信号、第１初期化電源および第２初期化電源が供給されない期間の間、データ線Ｄ１ないしＤｍに基準電源を供給する。
【００２３】
制御線駆動部１６０は、制御線ＧＣに制御信号を供給する。一例として、制御線駆動部１６０は、走査線Ｓ１ないしＳｎに同時に供給される走査信号と重畳され、第１初期化電源が供給された後、第１初期化電源および第２初期化電源と重畳されないように、制御線ＧＣに制御信号を供給することができる。
【００２４】
画素部１３０は、走査線Ｓ１ないしＳｎおよびデータ線Ｄ１ないしＤｍの交差部に位置する画素１４０を備える。画素１４０は、第１電源ＥＬＶＤＤおよび第２電源ＥＬＶＳＳを受ける。このような画素１４０は、１フレーム期間中の発光期間の間、データ信号に対応して、第１電源ＥＬＶＤＤから有機発光ダイオードを経由して第２電源ＥＬＶＳＳに供給される電流量を制御する。すると、有機発光ダイオードで所定輝度の光が生成される。
【００２５】
第１電源駆動部１７０は、画素１４０に第１電源ＥＬＶＤＤを供給する。ここで、第１電源駆動部１７０は、それぞれのフレーム期間にハイレベルおよびローレベルを繰り返す第１電源ＥＬＶＤＤを供給する。ここで、第１電源ＥＬＶＤＤのハイレベルは、画素１４０で電流が流れることができる電圧を意味し、ローレベルは、画素１４０で電流が流れることができない電圧を意味する。
【００２６】
第２電源駆動部１８０は、画素１４０に第２電源ＥＬＶＳＳを供給する。ここで、第２電源駆動部１８０は、それぞれのフレーム期間にハイレベルおよびローレベルを繰り返す第２電源ＥＬＶＳＳを供給する。ここで、第２電源ＥＬＶＳＳのハイレベルは、画素１４０で電流が流れることができない電圧を意味し、ローレベルは、画素１４０で電流が流れることができる電圧を意味する。実際に、画素１４０は、１フレーム期間中、第１電源ＥＬＶＤＤがハイレベルに設定され、第２電源ＥＬＶＳＳがローレベルに設定される発光期間に発光する。
【００２７】
図２は、本発明の実施形態にかかる有機電界発光表示装置の駆動方法を示す図である。
【００２８】
図２を参照すれば、本願発明の有機電界発光表示装置は、同時発光方式で駆動する。一般的に、駆動方式は、順次発光（Ｐｒｏｇｒｅｓｓｉｖｅ  Ｅｍｉｓｓｉｏｎ）および同時発光（Ｓｉｍｕｌｔａｎｅｏｕｓ  Ｅｍｉｓｓｉｏｎ）方式に区分される。順次発光方式は、各走査線ごとにデータが順次に入力され、データの入力手順と同一に画素が水平ライン単位で順次に発光する方式を意味する。
【００２９】
同時発光方式は、各走査線ごとにデータが順次に入力され、すべての画素にデータが入力された後に、画素が同時に発光する方式を意味する。同時発光方式で駆動される本願発明の１フレームは、（ａ）初期化期間、（ｂ）閾値電圧補償期間、（ｃ）安定化期間、（ｄ）走査期間、（ｅ）発光期間に分けられる。ここで、（ｄ）走査期間の間には、各走査線ごとに順次に画素１４０が駆動され、走査期間を除いた、（ａ）初期化期間、（ｂ）閾値電圧補償期間、（ｃ）安定化期間、（ｅ）発光期間の間には、すべての画素１４０が同時に駆動される。
【００３０】
（ａ）初期化期間は、画素１４０それぞれに含まれる有機発光ダイオードのアノード電極の電圧をローレベルの電圧に初期化する期間である。ここで、ローレベルの電圧は、第１電源ＥＬＶＤＤのローレベルの電圧に設定され、ローレベルの電圧が供給される有機発光ダイオードは非発光状態に設定される。
【００３１】
（ｂ）閾値電圧補償期間は、画素１４０それぞれに含まれた駆動トランジスタの閾値電圧を補償する期間である。このような閾値電圧補償期間には、画素１４０それぞれに含まれる第２キャパシタに駆動トランジスタの閾値電圧に対応する電圧が充電される。
【００３２】
（ｃ）安定化期間は、駆動トランジスタのドレイン電極（すなわち、有機発光ダイオードのアノード電極）の電圧をハイレベルの第１電源ＥＬＶＤＤの電圧に上昇させる区間である。このような安定化期間は、リーク電流およびデータ信号の電圧差に対応して不均一な映像が表示されるのを防止する。安定化期間に関する詳細な説明は後述する。
【００３３】
（ｄ）走査期間は、画素１４０それぞれにデータ信号を供給する期間である。このような走査期間には、画素１４０それぞれに含まれる第１キャパシタにデータ信号に対応する電圧が充電される。
【００３４】
（ｅ）発光期間は、走査期間に供給されたデータ信号に対応して画素１４０が発光する期間である。
【００３５】
このような本発明の駆動方法では、それぞれの動作区間（ａ）ないし（ｅ）が時間的に明確に分離されるため、各画素１４０に備えられる補償回路のトランジスタおよびこれを制御する信号線数を減らすことができる。また、動作区間（ａ）ないし（ｅ）が時間的に明確に分離されるため、シャッタ（Ｓｈｕｔｔｅｒ）眼鏡式３Ｄディスプレイの実現が容易であるという利点がある。
【００３６】
シャッタ眼鏡式３Ｄディスプレイは、各フレームごとに左眼および右眼映像を交互に出力する。使用者は、左眼／右眼の透過率が０％および１００％でスイッチされる「シャッタ眼鏡」を着用する。シャッタ眼鏡は、左眼映像は左眼に、右眼映像は右眼に供給することによって、使用者が立体感のある映像を認知するようにする。
【００３７】
図３は、順次発光方式でシャッタ眼鏡式３Ｄを実現した例を説明する図である。
【００３８】
図３を参照すれば、順次発光方式で画面を出力する場合、左眼／右眼映像間のクロストーク（ｃｒｏｓｓ  ｔａｌｋ）現象を防止するために、シャッタ眼鏡の応答時間（例えば、２．５ｍｓ）だけ発光を消さなければならない。すなわち、左眼映像を出力するフレーム（ｉフレーム：ｉは自然数）と、右眼映像が出力されるフレーム（ｉ＋１フレーム）との間に、シャッタ眼鏡の応答時間だけ非発光区間を追加的に生成し、これによって、発光時間比率（Ｄｕｔｙ  ｒａｔｉｏｎ）が低くなるという欠点がある。
【００３９】
図４は、本発明の実施形態にかかる同時発光方式でシャッタ眼鏡式３Ｄを実現した例を説明する図である。
【００４０】
図４を参照すれば、同時発光方式で画面を出力する場合、画素部全体で同時に発光が行われ、発光期間以外の区間で画素が非発光状態に設定される。したがって、左眼映像が出力される区間および右眼映像が出力される区間の間に非発光区間が自然に確保できる。
【００４１】
すなわち、ｉフレームおよびｉ＋１フレームの間で、リセット期間、閾値電圧補償期間および走査期間に画素１４０が非発光状態に設定され、この期間を前記シャッタ眼鏡の応答時間に同期させると、従来の順次発光方式とは異なり、別途に発光時間比率（Ｄｕｔｙ  ｒａｔｉｏｎ）を減少させなくてもよい。
【００４２】
図５は、図１に示された画素の実施形態を示す回路図である。図５では、説明の便宜のために、第ｎ走査線Ｓｎおよび第ｍデータ線Ｄｍに接続された画素を示す。そして、図５に示された有機キャパシタＣｏｌｅｄは、有機発光ダイオードＯＬＥＤに寄生的に形成されるキャパシタを意味する。このような有機キャパシタＣｏｌｅｄは、一般的に、第１キャパシタＣ１（または第２キャパシタＣ２）より高い容量を有する。
【００４３】
図５を参照すれば、本発明の第１実施形態にかかる画素１４０は、有機発光ダイオード（Ｏｒｇａｎｉｃ  Ｌｉｇｈｔ  Ｅｍｉｔｔｉｎｇ  Ｄｉｏｄｅ：ＯＬＥＤ）と、有機発光ダイオードＯＬＥＤに供給される電流量を制御する画素回路１４２とを備える。
【００４４】
有機発光ダイオードＯＬＥＤのアノード電極は画素回路１４２に接続され、カソード電極は第２電源ＥＬＶＳＳに接続される。このような有機発光ダイオードＯＬＥＤは、画素回路１４２から供給される電流に対応して所定輝度の光を生成する。
【００４５】
画素回路１４２は、データ信号および駆動トランジスタの閾値電圧に対応する電圧を充電し、充電された電圧に対応して有機発光ダイオードＯＬＥＤに供給される電流量を制御する。このために、画素回路１４０は、３つのトランジスタＭ１ないしＭ３と、２つのキャパシタＣ１、Ｃ２とを備える。
【００４６】
第１トランジスタＭ１のゲート電極は走査線Ｓｎに接続され、第１電極はデータ線Ｄｍに接続される。そして、第１トランジスタＭ１の第２電極は第１ノードＮ１に接続される。このような第１トランジスタＭ１は、走査線Ｓｎに走査信号が供給される時にターンオンされ、データ線Ｄｍと第１ノードＮ１とを電気的に接続させる。
【００４７】
第２トランジスタＭ２（駆動トランジスタ）のゲート電極は第２ノードＮ２に接続され、第１電極は第１電源ＥＬＶＤＤに接続される。そして、第２トランジスタＭ２の第２電極は有機発光ダイオードＯＬＥＤのアノード電極に接続される。このような第２トランジスタＭ２は、第２ノードＮ２に印加された電圧に対応して有機発光ダイオードＯＬＥＤに供給される電流量を制御する。
【００４８】
第３トランジスタＭ３の第１電極は第２トランジスタＭ２の第２電極に接続され、第２電極は第２ノードＮ２に接続される。そして、第３トランジスタＭ３のゲート電極は制御線ＧＣに接続される。このような第３トランジスタＭ３は、制御線ＧＣに制御信号が供給される時にターンオンされ、第２トランジスタＭ２をダイオード形態で接続させる。
【００４９】
第１キャパシタＣ１は、第１ノードＮ１と第１電源ＥＬＶＤＤとの間に接続される。このような第１キャパシタＣ１は、データ信号に対応する電圧を充電する。
【００５０】
第２キャパシタＣ２は、第１ノードＮ１と第２ノードＮ２との間に接続される。このような第２キャパシタＣ２は、第２トランジスタＭ２の閾値電圧に対応する電圧を充電する。
【００５１】
図６は、図５に示された画素の駆動波形を示す図である。第１電源ＥＬＶＤＤは、初期化期間にローレベルに設定され、それ以外の期間にハイレベルに設定される。第２電源ＥＬＶＳＳは、初期化期間、閾値電圧補償期間、安定化期間および走査期間にハイレベルに設定され、発光期間にローレベルに設定される。ここで、画素１４０は、第１電源ＥＬＶＤＤがハイレベルに設定され、第２電源ＥＬＶＳＳがローレベルに設定される期間、すなわち発光期間にのみ所定輝度の光を生成する。
【００５２】
図６を参照すれば、まず、初期化期間、閾値電圧補償期間および安定化期間に走査線Ｓ１ないしＳｎに同時に走査信号が供給される。そして、初期化期間中の一部期間にデータ線Ｄｍに第１初期化電源Ｖｉｎｔ１の電圧が供給される。
【００５３】
走査線Ｓ１ないしＳｎに走査信号が供給されると、画素１４０それぞれに含まれた第１トランジスタＭ１がターンオンされる。第１トランジスタＭ１がターンオンされると、第１ノードＮ１とデータ線Ｄｍとが電気的に接続される。すると、データ線Ｄｍから供給された初期化電源Ｖｉｎｔ１が第１ノードＮ１に供給される。第１ノードＮ１に初期化電源Ｖｉｎｔ１の電圧が供給されると、第２キャパシタＣ２のカップリングによって第２ノードＮ２の電圧が下降する。
【００５４】
第２ノードＮ２の電圧が下降すると、第２トランジスタＭ２がターンオンされ、これによって、ローレベルの第１電源ＥＬＶＤＤの電圧が有機発光ダイオードＯＬＥＤのアノード電極に供給される。すなわち、初期化期間の間、有機発光ダイオードＯＬＥＤのアノード電極は、ローレベルの第１電源ＥＬＶＤＤの電圧に初期化される。一方、第１初期化電源Ｖｉｎｔ１の電圧は、第２トランジスタＭ２が安定的にターンオンできるように実験的に決定される。
【００５５】
以後、閾値電圧補償期間に制御線ＧＣに制御信号が供給される。制御線ＧＣに制御信号が供給されると、第３トランジスタＭ３がターンオンされる。第３トランジスタＭ３がターンオンされると、第２トランジスタＭ２は、ダイオード形態で接続され、初期化期間に供給されたローレベルの電圧に対応して第２トランジスタＭ２がターンオンされる。
【００５６】
第２トランジスタＭ２がターンオンされると、第２ノードＮ２および第２トランジスタＭ２の第２電極の電圧は、ハイレベルの第１電源ＥＬＶＤＤの電圧から第２トランジスタＭ２の閾値電圧を合わせた電圧、すなわち、ＥＬＶＤＤ＋Ｖｔｈ（Ｍ２）の電圧に上昇される。ここで、Ｖｔｈ（Ｍ２）は、負極性の電圧に設定されるため、第２ノードＮ２および第２トランジスタＭ２の第２電極の電圧は、ハイレベルの第１電源ＥＬＶＤＤより低い電圧に設定される。
【００５７】
一方、閾値電圧補償期間の間、データ線Ｄ１ないしＤｍには、第１初期化電源の電圧Ｖｉｎｔ１より高い基準電源Ｖｒｅｆが供給される。したがって、閾値電圧補償期間の間、第２キャパシタＣ２は、第１ノードＮ１に印加された基準電源Ｖｒｅｆと、第２ノードＮ２に印加されたＥＬＶＤＤ＋Ｖｔｈ（Ｍ２）との差に対応する電圧を充電する。ここで、基準電源Ｖｒｅｆおよびハイレベルの第１電源ＥＬＶＤＤは固定された電圧に設定されるため、第２キャパシタＣ２に格納される電圧は、第２トランジスタＭ２の閾値電圧に対応して決定される。すなわち、閾値電圧補償期間の間、第２キャパシタＣ２には、第２トランジスタＭ２の閾値電圧に対応する電圧が充電される。
【００５８】
安定化期間の間には、データ線Ｄ１ないしＤｍには第２初期化電源Ｖｉｎｔ２が供給される。データ線Ｄ１ないしＤｍに供給された第２初期化電源Ｖｉｎｔ２は、第１ノードＮ１に供給される。ここで、第２初期化電源Ｖｉｎｔ２の電圧は、基準電源Ｖｒｅｆの電圧より低く設定され、これによって、第１ノードＮ１の電圧が下降する。一例として、本願発明において、第２初期化電源Ｖｉｎｔ２の電圧は、最大階調（一例として、ホワイト）に対応するデータ信号の電圧に設定できる。
【００５９】
第１ノードＮ１の電圧が下降すると、第２キャパシタＣ２のカップリングによって第２ノードＮ２の電圧も下降する。第２ノードＮ２の電圧が下降すると、第２トランジスタＭ２がターンオン状態に設定され、第２トランジスタＭ２の第２電極（すなわち、ドレイン電極）の電圧がＥＬＶＤＤ＋Ｖｔｈ（Ｍ２）の電圧から、ハイレベルの第１電源ＥＬＶＤＤの電圧に上昇する。すなわち、本願発明では、安定化期間の間、第２トランジスタＭ２の第１電極および第２電極が同一の電圧に設定されるように、第２電極の電圧をハイレベルの第１電源ＥＬＶＤＤの電圧に上昇させる。このように、第２トランジスタＭ２の第１電極および第２電極が同一の電圧に設定されると、リーク電流および階調差によって第２ノードＮ２の電圧が変化するのを防止することができる。これに関する詳細な説明は後述する。
【００６０】
走査期間の間には、走査線Ｓ１ないしＳｎに走査信号が順次に印加され、走査信号に同期するようにデータ線Ｄ１ないしＤｍにデータ信号が供給される。走査線Ｓｎに走査信号が供給されると、第１トランジスタＭ１がターンオンされる。第１トランジスタＭ１がターンオンされると、データ線Ｄｍからのデータ信号が第１ノードＮ１に供給される。この時、第１キャパシタＣ１は、データ信号に対応して所定の電圧を充電する。一方、走査期間の間、第２ノードＮ２はフローティング状態に設定され、これによって、第２キャパシタＣ２は、第１ノードＮ１の電圧変化とは無関係に前の期間に充電された電圧を維持する。
【００６１】
発光期間の間には、ローレベルの第２電源ＥＬＶＳＳが供給される。この場合、第２トランジスタＭ２は、第１キャパシタＣ１および第２キャパシタＣ２に充電された電圧に対応して、有機発光ダイオードＯＬＥＤに流れる電流量を制御する。したがって、発光期間の間、画素部１３０では、データ信号に対応する所定輝度の映像が表示される。
【００６２】
一方、上述した本願発明では、安定化期間の間、第２トランジスタＭ２の第２電極の電圧を第１電極と同一の電圧、すなわちハイレベルの第１電源ＥＬＶＤＤの電圧に上昇させる。すると、データ信号の電圧差およびリーク電流によって画素１４０それぞれに含まれた第２ノードＮ２の電圧が変化するのを防止することができ、これによって、所望する輝度の映像を表示することができるという利点がある。実際に、本願発明は、同時発光方式で安定化期間を追加することを核心とし、駆動トランジスタＭ２、第１および第２キャパシタＣ２、第３トランジスタＭ３を含む多様な画素に適用可能である。
【００６３】
一方、以下に安定化期間を詳細に説明する。まず、図７に示されるように、駆動トランジスタＭ２のゲート電極と第２電極との間には寄生キャパシタＣｏｘが形成される。第１トランジスタＭ１がターンオン状態に設定される場合、第２ノードＮ２の電圧変化量は、第２キャパシタＣ２および寄生キャパシタＣｏｘの割合によって決定される。ここで、第２キャパシタＣ２は、寄生キャパシタＣｏｘより非常に大きい容量に設定されるため、第１トランジスタＭ１のターンオン状態で寄生キャパシタＣｏｘによる第２ノードＮ２の電圧変化量はわずかに設定される。
【００６４】
反面、第１トランジスタＭ１がターンオフ状態に設定される場合、第１ノードＮ１の電圧変化量は、第１キャパシタＣ１および第２キャパシタＣ２の合成容量および寄生キャパシタＣｏｘの割合によって決定される。ここで、合成容量は、第２キャパシタＣ２より低い容量に設定され、これによって、寄生キャパシタＣｏｘによる第１ノードＮ１の電圧変化量が大きく設定される。
【００６５】
詳細に説明すれば、閾値電圧補償期間後に、第２トランジスタＭ２の第２電極電圧ＥＬＶＤＤ＋Ｖｔｈ（Ｍ２）は、第１電極の電圧ＥＬＶＤＤ（ハイレベル）より低い電圧に設定され、これによって、所定のリーク電流が発生する。このようなリーク電流によって第２ノードＮ２の電圧が変化する問題が発生する。
【００６６】
また、走査期間にそれぞれの画素１４０に供給されるデータ信号の電圧に対応してリーク電流の差が発生し、このリーク電流の差によって、第２ノードＮ２の電圧が変化する問題が発生する。つまり、図８のように、走査期間に低い階調に対応するデータ信号Ｖｄａｔａが供給される場合、少量のリーク電流が発生し、これによって、駆動トランジスタの第２電極の電圧Ｖｄｒａｉｎが徐々に変化する。この場合、第２ノードＮ２の電圧も、リーク電流に対応して変化する。
【００６７】
反面、図９のように、高い階調に対応するデータ信号Ｖｄａｔａが供給される場合、多量のリーク電流によって走査信号が供給される期間の間に、駆動トランジスタの第２電極の電圧Ｖｄｒａｉｎが第１電源ＥＬＶＤＤの電圧に上昇する。このような走査信号が供給される期間の間、駆動トランジスタの第２電極の電圧Ｖｄｒａｉｎが第１電源ＥＬＶＤＤの電圧に上昇すると、その後の期間にリーク電流が発生せず、これによって、第２ノードＮ２の電圧も変化しない。また、データ信号とは無関係に閾値電圧補償期間に発生した駆動トランジスタＭ２の第１電極と第２電極との電圧差によるリーク電流によって、図１０のように、駆動トランジスタＭ２の第２電極の電圧Ｖｄｒａｉｎが変化する。
【００６８】
上述のように、本願発明において、安定化期間が含まれない場合、リーク電流によって画素１４０それぞれに含まれた第２ノードＮ２の電圧が不均一に変化し、これによって、所望する映像を表示することができない。反面、本願発明のように安定化期間が含まれる場合、図１１のように、安定化期間の間、第２トランジスタＭ２の第２電極電圧Ｖｄｒａｉｎを第１電源ＥＬＶＤＤと同一に設定し、これによって、リーク電流による第２ノードＮ２の電圧変化を防止することができる。また、本願発明のように安定化期間が含まれる場合、図１２に示されたような画素１４０の位置（パネルの下部、中央および上部）とは無関係に電流偏差が最小化し、これによって、均一な輝度の映像を表示することができる。
【００６９】
図１３は、本発明の他の実施形態にかかる有機電界発光表示装置を示す図である。図１３を説明するにあたり、図１と同一の構成については同一の図面符号を割り当てると共に、詳細な説明は省略する。
【００７０】
図１３を参照すれば、本発明の他の実施形態にかかる有機電界発光表示装置は、データ線Ｄ１ないしＤｍに接続されるスイッチング部２００をさらに備える。
【００７１】
スイッチング部２００は、データ線Ｄ１ないしＤｍに第１初期化電源Ｖｉｎｔ１、第２初期化電源Ｖｉｎｔ２および基準電源Ｖｒｅｆのうちの少なくとも１つの電圧を供給する。このために、スイッチング部２００は、第１スイッチＳＷ１と、第２スイッチＳＷ２と、第３スイッチＳＷ３とを備える。
【００７２】
第１スイッチＳＷ１は、データ線Ｄ１ないしＤｍそれぞれと第１初期化電源Ｖｉｎｔ１との間に接続される。このような第１スイッチＳＷ１は、図６に示されるように、初期化期間の一部期間にターンオンされ、データ線Ｄ１ないしＤｍに第１初期化電源Ｖｉｎｔ１の電圧を供給する。
【００７３】
第２スイッチＳＷ２は、データ線Ｄ１ないしＤｍそれぞれと第２初期化電源Ｖｉｎｔ２との間に接続される。このような第２スイッチＳＷ２は、安定化期間にターンオンされ、データ線Ｄ１ないしＤｍに第２初期化電源Ｖｉｎｔ２の電圧を供給する。
【００７４】
第３スイッチＳＷ３は、データ線Ｄ１ないしＤｍそれぞれと基準電源Ｖｒｅｆとの間に接続される。このような第３スイッチＳＷ３は、閾値電圧供給期間にターンオンされ、データ線Ｄ１ないしＤｍに基準電源Ｖｒｅｆの電圧を供給する。
【００７５】
このような本発明の他の実施形態にかかる有機電界発光表示装置は、スイッチング部２００を除いた構成が図１と同一に設定される。すなわち、図１の有機電界発光表示装置では、データ駆動部１２０で第１初期化電源Ｖｉｎｔ１、第２初期化電源Ｖｉｎｔ２および基準電源Ｖｒｅｆを供給するのに対し、本願発明の他の実施形態では、スイッチング部２００を用いて第１初期化電源Ｖｉｎｔ１、第２初期化電源Ｖｉｎｔ２および基準電源Ｖｒｅｆを供給する。この場合、走査期間を除いた期間の間、データ駆動部１２０は、ハイインピーダンス状態に設定される。
【００７６】
一方、本願発明では、説明の便宜のために、トランジスタをＰＭＯＳとして示したが、本願発明はこれに限定されない。つまり、トランジスタは、ＮＭＯＳで形成されてもよい。
【００７７】
また、本願発明において、有機発光ダイオードＯＬＥＤは、駆動トランジスタから供給される電流量に対応して赤色、緑色または青色の光を生成するが、本願発明はこれに限定されない。一例として、有機発光ダイオードＯＬＥＤは、駆動トランジスタから供給される電流量に対応して白色光を生成することもできる。この場合、別のカラーフィルタなどを用いてカラー映像を実現する。
【００７８】
本発明の技術思想は、上記の好ましい実施形態によって具体的に記述されたが、上記の実施形態は、それを説明するためのものであり、それを制限するためのものではないことに留意しなければならない。また、本発明の技術分野における通常の知識を有する者であれば、本発明の技術思想の範囲内で多様な変形例が可能であることを理解することができる。
【符号の説明】
【００７９】
１１０：走査駆動部
１２０：データ駆動部
１３０：画素部
１４０：画素
１４２：画素回路
１５０：タイミング制御部
１６０：制御線駆動部
１７０：第１電源駆動部
１８０：第２電源駆動部
２００：スイッチング部
【図１】
2014206730.tif 000003
【図２】
2014206730.tif 000004
【図３】
2014206730.tif 000005
【図４】
2014206730.tif 000006
【図５】
2014206730.tif 000007
【図６】
2014206730.tif 000008
【図７】
2014206730.tif 000009
【図８】
2014206730.tif 000010
【図９】
2014206730.tif 000011
【図１０】
2014206730.tif 000012
【図１１】
2014206730.tif 000013
【図１２】
2014206730.tif 000014
【図１３】
2014206730.tif 000015